(57)【要約】【課題】  コンクリート構造体のガイドレール等の対象物の設置高さを正確に調整することができる高さ調整具を提供することを目的とする。【解決手段】  高さ調整具１ａは、差筋１１に接合されたボルト１２と、ボルト１２に係合する長ナット１８と、長ナット１８の開口１６の上方に回動自在に挿入される胴部１９と開口１６の直径より広い幅の下面を有する頭部２０とからなるリベット２１と、から構成されている。使用時には、ボルト１２のネジ山１４の一部に長ナット１８の内側のネジ山１７の下方部を螺合させ、長ナット１８の開口１６にリベット２１の胴部１９を落とし込み、リベット２１の頭部２０と対象物とを接合する。長ナット１８をいずれか一方に回転させると、長ナット１８は上下に移動し、長ナット１８の上面で支持されているリベット２１の頭部２０の位置も上下に移動する。結果、高さ調整具１ａの軸方向の長さを増減させることができる。【選択図】  図４
2009002026.tif 000002
【特許請求の範囲】
【請求項１】
対象物を支持して、その支持高さを調整するための高さ調整具であって、
その上端側にネジ山が形成された棒体と、
軸方向に貫通する開口を有し、前記開口の少なくとも下方部が前記ネジ山に螺合する筒状体と、
前記対象物を支持すると共に、その一部が前記開口の上方部に回動自在に挿入された状態で前記筒状体の上面で支持される支持体とを備えた、高さ調整具。
【請求項２】
前記棒体は、ボルトを含み、
前記筒状体は、長ナットを含む、請求項１記載の高さ調整具。
【請求項３】
前記支持体は、リベットを含む、請求項１または請求項２記載の高さ調整具。
【請求項４】
前記支持体は、Ｔ字状に形成された丸棒を含む、請求項１または請求項２記載の高さ調整具。
【請求項５】
前記支持体は、平板と、前記平板の下面に接続された丸棒とからなる、請求項１または請求項２記載の高さ調整具。
【発明の詳細な説明】
【技術分野】
【０００１】
この発明は高さ調整具に関し、特にコンクリートブロックを設置するためのコンクリート構造体のガイドレールの高さを調整する高さ調整具に関するものである。
【背景技術】
【０００２】
図９は、差筋を使用した従来のコンクリート構造体の概略構成を示した平面図であり、図１０は、図９で示したＸ−Ｘラインから見た図であり、更に図１１は図１０で示したＸＩ−ＸＩラインの断面図である。
【０００３】
これらの図を参照して、転圧された砕石７の上に設置された差筋６１ａ〜６１ｄの上に枕木用アングル２ａ〜２ｃが設置され、枕木用アングル２ａ〜２ｃの上方を架け渡すように各々がほぼ平行に配置された一対のガイドレール３ａ及び３ｂが取り付けられる。ガイドレール３ａ及び３ｂの上面より下方の部分を埋め込むように打設されたコンクリート６により固定されたガイドレール３ａ及び３ｂの上に、複数の硬球４を介して、ボックスカルバート５が設置されている。図のように配置されたボックスカルバート５は、硬球４のベアリング効果を利用して、ガイドレール３ａ及び３ｂの伸びる方向へと所定位置まで移動させられ、据え付けられる。
【０００４】
尚、枕木用アングル２ｂは、図１１に示されるように、一対の差筋６１ａ及び６１ｃによって地面に対して水平になるよう調整されている。枕木用アングル２ａ及び２ｃも同様に一対の差筋によって調整される。
【０００５】
ここで、枕木用アングル及びガイドレールの取り付け状態について更に説明する。
【０００６】
図１２は、図１１で示した“Ｚ”部分の拡大図である。
【０００７】
図を参照して、差筋６１ａと、枕木用アングル２ｂと、ガイドレール３ａとは、例えば点溶接によって互いに接合されて一体化されている。尚、他方の差筋６１ｃ及びガイドレール３ｂについても同様に、それぞれ枕木用アングル２ｂに接合されて一体化されている。
【０００８】
図１３は、差筋を使用した従来のコンクリート構造体の施工過程を示した概略工程図であり、図１４は、図１３に続くボックスカルバートの据え付け過程を示した概略工程図である。
【０００９】
まず、図１３の（１）を参照して、転圧して平坦化した砕石７の上に所定間隔を開けて角材２５ａ及び２５ｂを配置し、これらを型枠として捨コンクリート２６を打設する。ここで、差筋６１ａ及び６１ｃを硬化前の捨コンクリート２６の所定位置にほぼ垂直方向に差し込む。このとき、差筋６１ａ及び６１ｃの上端部の高さが同一となるように、差筋６１ａ及び６１ｃの差し込みの深さを調整する。又、幅方向に配置された複数対の差筋も長手方向（紙面を貫通する方向）において所定の勾配となるように、同様の手法で差し込みの深さを調整する。
【００１０】
次に、図１３の（２）を参照して、捨コンクリート２６の硬化後、角材２５ａ及び２５ｂを取り外し、差筋６１ａ及び６１ｃの上を架け渡すように枕木用アングル２ｂを設置し、例えば点溶接によって差筋６１ａ及び６１ｃを枕木用アングル２ｂにそれぞれ接合する。
【００１１】
次に、図１３の（３）を参照して、枕木用アングル２ｂの上にガイドレール３ａ及び３ｂを取り付け、例えば点溶接によって枕木用アングル２ｂとガイドレール３ａ及び３ｂをそれぞれ接合する。
【００１２】
次に、図１３の（４）を参照して、コンクリートを打設するための型枠２７ａ及び２７ｂを枕木用アングル２ｂの幅方向の外方側に組み立てる。
【００１３】
次に、図１３の（５）を参照して、ガイドレール３ａ及び３ｂの上面より下方の部分と、枕木用アングル２ｂと、差筋６１ａ及び６１ｃとが埋め込まれるようにコンクリート６を打設し、コンクリート６の硬化後、型枠２７ａ及び２７ｂを取り外す。これによって、ガイドレール３ａ及び３ｂは硬化したコンクリート６によって支えられることになる。
【００１４】
次に、図１４の（１）を参照して、ガイドレール３ａ及び３ｂの上面に複数の硬球４を配置し、その硬球４を介してガイドレール３ａ及び３ｂの上にボックスカルバート５を設置する。
【００１５】
そして、図１４の（２）に示すように、ボックスカルバート５を硬球４のベアリング効果を利用して所定位置まで移動させる。次に、ボックスカルバート５の底面に設けてあるグラウト孔６４からモルタル等のグラウト材６５を流し込み、ガイドレール３ａ及び３ｂの上部近辺まで充填させる。更に、コンクリート６の上に、ガイドレール３ａ及び３ｂの幅方向の外方側に型枠６２ａ及び６２ｂを設置し、ガイドレール３ａ及び３ｂの上面より上方の部分と、ボックスカルバート５の下面部分とが埋め込まれるようにコンクリート６３を打設し、コンクリート６３の硬化後に型枠６２ａ及び６２ｂを取り外すと、コンクリート６と一体化した状態で、ボックスカルバート５の据え付けが完了する。
【発明の開示】
【発明が解決しようとする課題】
【００１６】
上記のような従来のコンクリート構造体では、上述のように枕木用アングル及びガイドレールの水平レベルを、差筋の捨コンクリートへの差し込みの深さで調整するが、差筋は捨コンクリートの硬化により固定されるため、その高さを正確に調整することが容易ではない。
【００１７】
又、捨コンクリートの硬化後は高さ調整を行うことができず、コンクリート打設前に失敗していることが分かっても修正不可能であるため、精度が要求されるコンクリート構造体の施工が非効率となっていた。
【００１８】
この発明は、上記のような課題を解決するためになされたもので、コンクリート構造体のガイドレール等の対象物の設置高さを正確に調整することができる高さ調整具を提供することを目的とする。
【課題を解決するための手段】
【００１９】
上記の目的を達成するために、請求項１記載の発明は、対象物を支持して、その支持高さを調整するための高さ調整具であって、その上端側にネジ山が形成された棒体と、軸方向に貫通する開口を有し、開口の少なくとも下方部がネジ山に螺合する筒状体と、対象物を支持すると共に、その一部が開口の上方部に回動自在に挿入された状態で筒状体の上面で支持される支持体とを備えたものである。
【００２０】
このように構成すると、棒体を固定して筒状体を回転させると、支持体が上下する。
【００２１】
請求項２記載の発明は、請求項１記載の発明の構成において、棒体は、ボルトを含み、筒状体は、長ナットを含むものである。
【００２２】
請求項３記載の発明は、請求項１または請求項２記載の発明の構成において、支持体は、リベットを含むものである。
【００２３】
請求項４記載の発明は、請求項１または請求項２記載の発明の構成において、支持体は、Ｔ字状に形成された丸棒を含むものである。
【００２４】
請求項５記載の発明は、請求項１または請求項２記載の発明の構成において、支持体は、平板と、前記平板の下面に接続された丸棒とからなるものである。
【発明の効果】
【００２５】
以上説明したように、請求項１記載の発明は、棒体を固定して筒状体を回転させると、支持体が上下するため、簡易な構造で対象物の支持高さを容易に調整できる。
【００２６】
請求項２記載の発明は、請求項１または請求項２記載の発明の効果に加えて、規格品のボルトや長ナットを使用できるため、コストを抑えられる。
【００２７】
請求項３記載の発明は、請求項１記載の発明の効果に加えて、点で対象物を支持することができるため、対象物の下面が小さなものでも支持が可能となる。
【００２８】
請求項４記載の発明は、請求項１または請求項２記載の発明の効果に加えて、対象物と支持体との接触範囲が広くなるため、これらを一体化しやすい。
【００２９】
請求項５記載の発明は、請求項１または請求項２記載の発明の効果に加えて、対象物を面で支えられるため、対象物の支持状態が安定する。
【発明を実施するための最良の形態】
【００３０】
図１は、この発明の第１の実施の形態による高さ調整具を使用したコンクリート構造体の概略構成の正面図であって、先の従来技術の図９に対応する図である。次に図２は、図１で示したＩＩ−ＩＩラインの断面図であって、先の従来技術の図１０に対応する図である。更に図３は、図２で示した“Ｙ”部分の拡大図であって、先の従来技術の図１１に対応する図である。更に図４は図１の高さ調整具を構成要素ごとに分解したものの斜視図である。
【００３１】
これらの図を参照して、従来技術によるコンクリート構造体の構成要素のうち差筋６１ａ〜６１ｄが、高さ調整具１ａ〜１ｄに置き換えられている。尚、他のコンクリート構造体の構成要素は従来技術のものと同一であるため、ここでの説明は繰り返さない。
【００３２】
高さ調整具１ａと、枕木用アングル２ｂと、ガイドレール３ａとは、例えば点溶接によって互いに接合されて一体化されている。他方の高さ調整具１ｃ及びガイドレール３ｂについても同様に、それぞれ枕木用アングル２ｂに接合されて一体化されている。
【００３３】
高さ調整具１ａは、図４に示されるように、差筋１１の上端部にその頭部１３が接合され、ネジ山１４が形成された胴部１５を有するボルト１２（棒体）と、軸方向に貫通する開口１６を有し、内側にネジ山１４に螺合するネジ山１７が形成された長ナット１８（筒状体）と、開口１６の上方に回動自在に挿入される胴部１９と開口１６の直径より広い幅の下面を有する頭部２０とからなるリベット２１（支持体）と、から構成されている。使用時にあっては、ボルト１２の胴部１５のネジ山１４の一部に長ナット１８の下方部を螺合させ、開口１６にリベット２１の胴部１９を落とし込む。その状態で、リベット２１の頭部２０と枕木用アングル２ｂとを例えば点溶接により接合する。
【００３４】
このように構成すると、高さ調整具１ａの使用時に長ナット１８をいずれか一方に回転させると、長ナット１８は上下に移動する。一方、リベット２１は長ナット１８に対して回動自在なため、長ナット１８の上面で支持されているリベット２１の頭部２０の位置も上下に移動する。結果として、高さ調整具１ａの軸方向の長さを増減させることができる。
【００３５】
又、長ナット１８の上下動はネジ機構を利用しているため、細かい高さ調整が可能となる。
【００３６】
更に、枕木用アングル２ｂに接合しているリベット２１の胴部１９が長ナット１８の内部に挿入されているので、高さ調整具１ａの上でリベット２１の頭部２０の位置が水平方向にずれる虞が無くなる。
【００３７】
更に、リベット２１の頭部２０の１点で枕木用アングル２ｂを支持することが可能となるため、枕木用アングル２ｂの支持面が小さくても良い。
【００３８】
更に、高さ調整具１ａを構成する物品は全て規格品を使用できるものであるため、準備が容易に行え、コストも抑えられる。
【００３９】
次に、上記のような高さ調整具を使用したコンクリート構造体の施工方法について説明する。
【００４０】
図５は、この発明の第１の実施の形態による高さ調整具を使用したコンクリート構造体の施工過程を示した概略工程図である。
【００４１】
まず、図５の（１）を参照して、転圧して平坦化した砕石７の上に所定間隔を開けて角材２５ａ及び２５ｂを配置し、これらを型枠として捨コンクリート２６を打設する。このとき、高さ調整具１ａ及び１ｃの差筋の部分を、硬化前の捨コンクリート２６の所定位置にほぼ垂直方向に差し込む。この時、高さ調整具１ａ及び１ｃの上端の水平レベルはおおよそに調整しておいて良い。
【００４２】
次に、図５の（２）を参照して、捨コンクリート２６の硬化後、角材２５ａ及び２５ｂを取り外し、高さ調整具１ａ及び１ｃの上を架け渡すように枕木用アングル２ｂを設置し、例えば点溶接によって高さ調整具１ａ及び１ｃの各々のリベットを枕木用アングル２ｂにそれぞれ接合する。その後、高さ調整具１ａ及び１ｃの各々の長ナットを回転させて枕木用アングル２ｂの上面の水平レベルを調整する。これによって、枕木用アングル２ｂの水平レベルの調整が容易に行なえる。
【００４３】
次に、図５の（３）を参照して、枕木用アングル２ｂの上にガイドレール３ａ及び３ｂを設置し、例えば点溶接によって枕木用アングル２ｂとガイドレール３ａ及び３ｂをそれぞれ接合する。このとき、幅方向に配置された複数対の高さ調整具を操作して、ガイドレール３ａ及び３ｂの各々が軸方向において所定の勾配となるように調整する。
【００４４】
次に、図５の（４）を参照して、コンクリートを打設するための型枠２７ａ及び２７ｂを枕木用アングル２ｂの幅方向の外方側に組み立てる。
【００４５】
次に、図５の（５）を参照して、ガイドレール３ａ及び３ｂの上面より下方の部分と、枕木用アングル２ｂと、高さ調整具１ａ及び１ｃとが埋め込まれるようにコンクリート６を打設し、コンクリート６の硬化後、型枠２７ａ及び２７ｂを取り外せば、コンクリート構造体の施工が完了する。
【００４６】
尚、その後のボックスカルバートの据え付け過程は、先の従来技術の図１４で示したものと同様である。
【００４７】
以上のように、この発明の第１の実施の形態による高さ調整具を使用すれば、捨コンクリート２６の硬化後も、枕木用アングル２ｂ並びにガイドレール３ａ及び３ｂにおける、幅方向の水平レベルと長手方向の勾配とを容易に調整することができる。
【００４８】
又、ガイドレール３ａ及び３ｂを固定するためのコンクリート６を打設する直前まで高さ調整が可能となり、正確なレベルでのコンクリート構造体の施工が容易となる。
【００４９】
図６は、この発明の第２の実施の形態による高さ調整具の概略構成及び使用状態を示した図であって、先の第１の実施の形態の図３に対応する図であり、図７は図６の高さ調整具を構成要素ごとに分解したものの斜視図であって、先の第１の実施の形態の図４に対応する図である。
【００５０】
これらの図を参照して、第１の実施の形態による高さ調整具１ａの構成要素のうちリベット２１が、開口１６に回動自在に挿入される胴部１９となる丸棒を開口１６の直径より長い幅の下面を有する頭部２０となる丸棒に接合して、Ｔ字状に形成された丸棒（支持体）に置き換えられている。尚、他の高さ調整具の構成要素は第１の実施の形態によるものと同一であるため、ここでの説明は繰り返さない。
【００５１】
この実施の形態では、頭部２０と枕木用アングル２ｂとの接触範囲が広くなるため、これらを一体化しやすくなる。
【００５２】
図８は、この発明の第３の実施の形態による高さ調整具を構成要素ごとに分解したものの斜視図であって、先の第１の実施の形態の図４に対応する図である。
【００５３】
図を参照して、第１の実施の形態による高さ調整具１ａの構成要素のうちリベット２１が、開口１６に回動自在に挿入される胴部１９となる丸棒を開口１６の直径より長い幅の下面を有する頭部２０となる平板の下面に垂直に接合したものからなる、支持体に置き換えられている。尚、他の高さ調整具の構成要素は第１の実施の形態によるものと同一であるため、ここでの説明は繰り返さない。
【００５４】
この実施の形態では、頭部２０が枕木用アングル２ｂを面で支えるため、枕木用アングル２ｂの支持状態が安定する。
【００５５】
尚、上記の各実施の形態では、ボックスカルバートを移動させて据え付けるためのコンクリート構造体に適用しているが、アーチカルバートや、貯水槽、ガレージ、Ｌ型擁壁、水路、側溝、擁壁ブロック等の他のコンクリートブロックの設置基礎となるコンクリート構造体や、水平レベルの調整が必要な他の対象物の支持にも同様に適用できるのは言うまでもない。
【００５６】
又、上記の各実施の形態では、枕木用アングルを備えているが、必ずしも枕木用アングルは必要なものではなく、無くてもよい。
【００５７】
更に、上記の各実施の形態では、長ナットの内側全体にネジ山が切られているが、筒状体の下方部のみにネジ山が切られていてもよい。
【００５８】
更に、上記の各実施の形態では、棒体はボルトを使用しているが、例えばアンカーボルトの上端部にネジ山を切ったものなど、他の部材を使用してもよい。
【００５９】
更に、上記の各実施の形態では、筒状体は長ナットを使用しているが、例えば通常のナットやこれを連結したものなど、他の部材を使用してもよい。
【００６０】
更に、上記の各実施の形態では、支持体はリベット等を使用しているが、開口に回動自在に挿入される胴部と開口の直径より長い幅の下面を有する頭部を有する、他の部材を使用してもよい。
【００６１】
更に、上記の各実施の形態では、差筋を捨コンクリートに差し込むが、差筋の下面に平板を溶接しておけば、平板を直接砕石の上に設置できるので、捨コンクリートの打設が不要となる。
【図面の簡単な説明】
【００６２】
【図１】この発明の第１の実施の形態による高さ調整具を使用したコンクリート構造体の概略構成を示した正面図である。
【図２】図１で示したＩＩ−ＩＩラインの断面図である。
【図３】図２で示した“Ｙ”部分の拡大図である。
【図４】この発明の第１の実施の形態による高さ調整具を構成要素ごとに分解したものの斜視図である。
【図５】この発明の第１の実施の形態による高さ調整具を使用したコンクリート構造体の施工過程を示した概略工程図である。
【図６】この発明の第２の実施の形態による高さ調整具の概略構成及び使用状態を示した図である。
【図７】この発明の第２の実施の形態による高さ調整具を構成要素ごとに分解したものの斜視図である。
【図８】この発明の第３の実施の形態による高さ調整具を構成要素ごとに分解したものの斜視図である。
【図９】差筋を使用した従来のコンクリート構造体の概略構成を示した平面図である。
【図１０】図９で示したＸ−Ｘラインから見た図である。
【図１１】図１０で示したＸＩ−ＸＩラインの断面図である。
【図１２】図１１で示した“Ｚ”部分の拡大図である。
【図１３】差筋を使用した従来のコンクリート構造体の施工過程を示した概略工程図である。
【図１４】図１３に続くボックスカルバートの据え付け過程を示した概略工程図である。
【符号の説明】
【００６３】
１…高さ調整具
２…枕木用アングル
１２…ボルト
１８…長ナット
１９…胴部
２０…頭部
２１…リベット
尚、各図中同一符号は同一又は相当部分を示す。
【図１】
2009002026.tif 000003
【図２】
2009002026.tif 000004
【図３】
2009002026.tif 000005
【図４】
2009002026.tif 000006
【図５】
2009002026.tif 000007
【図６】
2009002026.tif 000008
【図７】
2009002026.tif 000009
【図８】
2009002026.tif 000010
【図９】
2009002026.tif 000011
【図１０】
2009002026.tif 000012
【図１１】
2009002026.tif 000013
【図１２】
2009002026.tif 000014
【図１３】
2009002026.tif 000015
【図１４】
2009002026.tif 000016